(57)【要約】【課題】  スピーカーを備えた電気炊飯器において、スピーカーの音質の劣化を防止できるようにする。【解決手段】  内鍋３ａと、外ケース１および内ケース４６よりなる炊飯器本体と、内鍋３ａを加熱する加熱手段と、スピーカー６１と、制御基板ＣＢと、制御基板ＣＢの下方に設けられたファン１７とを備えている。スピーカー６１の制御基板ＣＢ側にファン１７の風路とスピーカー６１側とを遮蔽するスピーカーカバー９１が設けられている。外ケース１とスピーカー６１との間に隙間９３が設けられている。外ケース１、隙間９３、スピーカー６１、スピーカーカバー９１、ファン１７、制御基板ＣＢの順に配置されている。【選択図】        図１
2013192904.tif 000002
【特許請求の範囲】
【請求項１】
内鍋と、外ケースおよび内ケースよりなり、内鍋を取り出し可能に収容する炊飯器本体と、上記内鍋を加熱する加熱手段と、必要な音声等の情報を報知するスピーカーと、上記炊飯器本体の内ケース前面部側に立設された制御基板と、該制御基板の下方に設けられ、上記炊飯器本体内の発熱部品を冷却するファンとを備えてなる電気炊飯器において、上記ファンの風路から遮蔽した箇所にスピーカーを配置したことを特徴とする電気炊飯器
【請求項２】
内鍋と、外ケースおよび内ケースよりなり、内鍋を取り出し可能に収容する炊飯器本体と、上記内鍋を加熱する加熱手段と、必要な音声等の情報を報知するスピーカーと、上記炊飯器本体の内ケース前面部側に立設された制御基板と、該制御基板の下方に設けられ、炊飯器本体内の発熱部品を冷却するファンとを備えてなる電気炊飯器において、上記スピーカーの制御基板側にスピーカーカバーを設けるとともに、上記炊飯器本体の外ケースとスピーカーとの間に隙間を設け、上記炊飯器本体の外ケース、隙間、スピーカー、スピーカーカバー、ファンの順に部品を配置したことを特徴とする電気炊飯器
【発明の詳細な説明】
【技術分野】
【０００１】
本願発明は、音声等の情報を報知するスピーカーを備えた電気炊飯器に関するものである。
【背景技術】
【０００２】
従来から電気炊飯器には、一般にブザー等の人の聴覚にアピールするアコースティックな報知手段が設けられており、例えば炊飯スイッチや保温スイッチ等の操作スイッチを操作した時に動作音を発生させたり、炊飯の完了報知やアラーム情報の報知等を行うようになっている。
【０００３】
また最近では、このような報知手段として、例えば言葉を話すスピーカーが採用され、炊飯メニュー設定時の設定方法の設定内容など、より具体的な情報内容の報知を行わせる電気炊飯器が提案されている。
【０００４】
ところで、このようなスピーカーは、当然ながら電源による駆動が必要であり、また報知すべき情報内容の送信や駆動状態の制御が必要であることから、電源回路を備えた制御基板やマイコンを備えた操作基板が設置されている、例えば炊飯器本体内前部の空間部分に設けられることが多い。そして、スピーカーが炊飯器本体の前部にあれば、報知音の音源が操作者に近くなるので、操作者にも聞こえ易くなる。
【０００５】
一方、上記電源回路を備えた制御基板には、一般に発熱部品が設けられることから、その下方には外気を吸い込んで冷却するファンが設けられる（例えば特許文献１の構成を参照）。
【先行技術文献】
【特許文献】
【０００６】
【特許文献１】特開２００９−２５４号公報（明細書第５頁−７頁、図１−図２）
【発明の概要】
【発明が解決しようとする課題】
【０００７】
ところが、上記従来の構成の場合、次のような問題があった。
【０００８】
（１）  スピーカーがファンの風路域に存在するようになるので、冷却風によりスピーカーの音質が劣化する。すなわち、ファンの風がスピーカーの振動に影響を与え、音割れ等の現象が生じ、音質が劣化する。また、ファンの送風音によって、本来のスピーカーからの音がマスキングされてしまい、聞き取りにくくなる。
【０００９】
（２）  油煙等の付着によりスピーカーの音質が劣化する。すなわち、通常、外ケース下部に吸気孔を形成し、この吸気孔から吸い込んだ外部の空気を発熱部に流すようになっている。したがって、調理台面や床面などの電気炊飯器の周囲環境中に存在する、油煙、埃、水分等がスピーカーの振動板部分にも付着することとなり、それによって音質が劣化する。
【００１０】
（３）発熱部の冷却効率が低下する。すなわち、ファンから送風される冷却風の一部がスピーカー側にも流れるので、ファンの風を十分に発熱部に作用させることが出来ず、その分冷却効率が低下していた。
【００１１】
本願発明は、このような問題を解決するためになされたもので、ファンの風路から遮蔽した箇所にスピーカーを配置することにより、音質の劣化防止、冷却効率の向上を図った電気炊飯器を提供することを目的とするものである。
【課題を解決するための手段】
【００１２】
本願発明は、同目的を達成するために、次のような課題解決手段を備えて構成されている。
【００１３】
（１）  請求項１の発明
この発明の電気炊飯器は、内鍋と、外ケースおよび内ケースよりなり、内鍋を取り出し可能に収容する炊飯器本体と、上記内鍋を加熱する加熱手段と、必要な音声等の情報を報知するスピーカーと、上記炊飯器本体の内ケース前面部側に立設された制御基板と、該制御基板の下方に設けられ、炊飯器本体内の発熱部品を冷却するファンとを備えてなる電気炊飯器において、上記ファンの風路から遮蔽した箇所にスピーカーを配置したことを特徴としている。
【００１４】
このような構成によれば、制御基板部分を冷却するファンの風路に近くても、同ファンの風路から遮蔽された箇所にスピーカーが設けられることになるので、制御基板側に吹出されたファンからの風は遮蔽され、スピーカー部分には流れなくなる。
【００１５】
その結果、スピーカー部分を風が流れることによる音割れ、送風騒音の混入等がなくなり、音質が向上し、報知音の音声内容が聞き取り易くなる。
【００１６】
また、ファンにより外部から吸い込まれた油煙、埃、水分等がスピーカーの振動板部分に付着するようなこともなくなり、それによる音質の低下も回避される。
【００１７】
さらに、従来だと不必要にスピーカー側に分流されていたファンからの冷却風が制御基板側に集められるようになるので、制御基板側発熱部品の冷却効率も向上する。
【００１８】
（２）  請求項２の発明
この発明の電気炊飯器は、内鍋と、外ケースおよび内ケースよりなり、内鍋を取り出し可能に収容する炊飯器本体と、上記内鍋を加熱する加熱手段と、必要な音声等の情報を報知するスピーカーと、上記炊飯器本体の内ケース前面部側に立設された制御基板と、該制御基板の下方に設けられ、炊飯器本体内の発熱部品を冷却するファンとを備えてなる電気炊飯器において、上記スピーカーの制御基板側にスピーカーカバーを設けるとともに、上記炊飯器本体の外ケースとスピーカーとの間に隙間を設け、上記炊飯器本体の外ケース、隙間、スピーカー、スピーカーカバー、ファンの順に部品を配置したことを特徴としている。
【００１９】
このような構成によれば、スピーカーの制御基板側にスピーカーカバーが設けられることから、スピーカーが同スピーカーカバーによりファンおよびファンの風路側から確実に遮蔽され、ファンからの風に晒されることがなくなる。
【００２０】
その結果、スピーカー部分を風が流れることによる音割れ、送風騒音の混入等がなくなり、音質が向上し、報知音の音声内容が聞き取り易くなる。
【００２１】
また、ファンにより外部から吸い込まれた油煙、埃、水分等がスピーカーの振動板部分に付着するようなこともなくなり、それによる音質の低下も回避される。
【００２２】
さらに、従来だと不必要にスピーカー側に分流されていたファンからの冷却風が制御基板側に集められるようになるので、制御基板側発熱部品の冷却効率も向上する。
【００２３】
特に、この構成の場合には、上記のようにスピーカーの制御基板側にスピーカーカバーが設けられており、このスピーカーカバーが上記制御基板との間で上記制御基板の発熱部分にスムーズに冷却風を流す送風路を形成することになるので、より発熱部の冷却効率が向上する。
【００２４】
また、スピーカーと外ケースとの間には隙間が設けられているので、スピーカーの前面側報知方向に空気が振動する空間を確保することが出来る。したがって、スピーカーの報知性能を十分に発揮させることが出来る。さらに、スピーカーは外ケースの内側において隙間を介して配置されているので、例えばスピーカーの上部に操作基板やメイバンがある場合、操作者に近い位置にスピーカーがあることとなり、メイバンはシートであり、合成樹脂の成形品や金属板より薄く、音が透過しやすいので、スピーカーの音を聞き取り易くすることが出来る。
【００２５】
さらに、スピーカーカバーがスピーカーを介して外ケースの反対側に配置されているので、スピーカーから発せられた音がスピーカーカバーで反射されることとなり、効果的に音量を上げることが出来る。また、スピーカーとファン及び制御基板との間にスピーカーカバーが配置されているので、上記のようにファンからの音を遮断することが出来るとともに、制御基板の発熱部品からの熱を遮断することが出来る。
【発明の効果】
【００２６】
以上の結果、本願発明によると、音質の劣化が無く、冷却効率を低下させることが無く、スピーカーの音が聞き取り易く、スピーカーの音量を上げることができ、ファンからの騒音を遮断することができ、かつ制御基板側からの熱をも遮断することが出来る音声報知機能を備えた電気炊飯器を提供することができるようになる。
【図面の簡単な説明】
【００２７】
【図１】本願発明の実施の形態１に係る電気炊飯器の炊飯器本体全体の構成を示す縦断面図である。
【図２】本願発明の実施の形態１に係る電気炊飯器の底部材を取った状態の裏面図である。
【発明を実施するための形態】
【００２８】
＜実施の形態１＞
図１〜図２は、上記のような特徴を備えた本願発明の実施の形態１に係る電気炊飯器の構成を示している。
【００２９】
先ず本願発明の実施の形態１における電気炊飯器では、図１および図２に示すように、例えば内鍋（飯器ないし保温容器）３として非金属材料からなる鍋（例えば、セラミック製の土鍋）が採用されており、その底壁部３ａの外周面および該底壁部３ａから側壁部３ｂ面に至る間の湾曲面には、内部に誘起されるうず電流によって自己発熱が可能な、例えば銀ペースト等の金属製の第１，第２の誘導発熱体（図示省略）が個別に貼設されている。
【００３０】
すなわち、該電気炊飯器は、同構成の内鍋３と、該内鍋３を任意にセットし得るように形成された下部側合成樹脂製の皿状の底壁部４および上部側筒状の側壁部６よりなる内ケース（保護枠）４６と、該内ケース４６を保持する外部筺体である有底筒状の外ケース１と、該外ケース１と上記内ケース４６とを一体化して形成された炊飯器本体の上部に開閉可能に設けられた蓋ユニット（蓋体）２とから構成されている。
【００３１】
上記内ケース４の底壁部（底部）４ａの下方側にはコイルカバーが設けられ、その下部にはフェライトコア７を配置し、またその上部には、上記内鍋３の底壁部３ａの下面側と側部湾曲面側の各誘導発熱体の位置に対応して各々リッツ線が同心状に巻成された第１，第２の２組のワークコイルＣ1，Ｃ2が設けられており、それにより通電時には内鍋３の上記第１，第２の誘導発熱体にうず電流を誘起して、内鍋３を加熱するようになっている。該第１，第２のワークコイルＣ1，Ｃ2は、例えば相互に直列に接続されている。
【００３２】
内ケース４６の皿状の底壁部４は、底面部４ａの中央部にサーミスタ等の内鍋温度検知センサーＳを備えたセンターセンサーＣＳのセンサー部嵌合口が形成されているとともに、同センサー部嵌合口の外周側上面にドーナツ状の遮熱板５０が設けられている。また、外周側側面部４ｂの上端側には、所定幅半径方向外方に張り出したフランジ状の段部４ｃが設けられ、この段部４ｃ部分に上部側筒状の側壁部６の下端６ｂ側が係合載置されている。
【００３３】
他方、上部側筒状の側壁部６の上端６ａは、内枠部材９を介して炊飯器本体側上端の肩部材１１に連結して固定されている。
【００３４】
そして、上記第１，第２のワークコイルＣ1，Ｃ2の一端は、例えば、制御基板ＣＢにおける整流回路および平滑回路を介した電源ラインに、また他端は同じく制御基板ＣＢ上のＩＧＢＴ駆動回路の発熱部品であるＩＧＢＴ（パワートランジスタ）のコレクタにそれぞれ接続されている。
【００３５】
また、上記内ケース４６の上部側筒状の側壁部６の外周には、炊飯および保温時において加熱手段として機能する側面ヒータ（保温ヒータ）Ｈ1が設けられており、炊飯時および保温時において上記内鍋３の全体を有効かつ均一に加熱するようになっている。この側面ヒータＨ1部分には、必要に応じて同部分の温度を検出する側部温度センサーが設けられる。
【００３６】
そして、それら２種の加熱手段Ｃ1、Ｃ2、Ｈ1と後述する蓋ユニット２側の蓋ヒータ（後述する放熱板１６ａ上に設けられるが、本例では図示を省略）を、マイコン制御ユニットによって適切に駆動制御することによって適切な炊飯機能と保温機能とを実現できるようになっている。
【００３７】
他方、上述の炊飯、保温機能に対するタイマー予約や炊飯および保温メニューの選択、それら各メニューに対応した各工程における加熱出力、加熱時間、保温温度、保温時間などの操作設定は、当該電気炊飯器本体の上部前面部に設けられた、操作パネル２０の各種入力スイッチ群（操作キー群）を介してユーザーにより行われ、その設定内容に応じて最終的に上記第１，第２のワークコイルＣ1，Ｃ2および側面ヒータ、蓋ヒータが適切に制御されるようになっている。
【００３８】
上記外ケース１内の上記操作パネル２０の裏面の外ケース１と内ケース４６との間の空間部の上方には、同操作パネル２０の操作機能および表示機能に対応した各スイッチの操作スイッチ機構、液晶ディスプレイ、それらの入出力制御回路を備えたマイコン基板（マイコンボード）ＭＢがそれぞれパネル面に沿った傾斜状態で設置されている。
【００３９】
このマイコン基板ＭＢは、上記外ケース１および内ケース４６の各上部間に跨がって両者を連結固定している上記肩部材１１の下面側から外ケース１下部の底部材１ｂ上まで（その支持リブ７２上まで）くの字状に延びるマイコン基板カバー８１の上部側の上記操作パネル２０面に沿って傾斜したマイコン基板取付部８１ａの上面側凹溝部上に取り付けられている。
【００４０】
マイコン基板カバー８１は、マイコン基板取付部８１ａから下方側の部分がくの字状に折り曲げられて底部材１ｂの支持リブ７２上に垂直に延び、同垂直平板部分がスピーカー６１の取付部８１ｂとなっている。そして、同スピーカー取付部８１ｂに対して、例えば非常にホーン部の拡大角が大きいダイナミック型のスピーカー６１が駆動部（ボイスコイル部）を背面側、振動板を前面側に向けて取り付けられている。そして、同スピーカー６１のボイスコイル部上端側の入出力ターミナルは短いリード線を介して上方側のマイコン基板取付部８１ａの下部に延設され、同部分でマイコン基板ＭＢ側音声回路の入出力端子７９に着脱可能に接続されている（図示省略）。また、スピーカー６１と外ケース１のカバー部材１ａとの間には、前後方向に所定の間隔を有する隙間９３が設けられている。
【００４１】
また、上記内ケース４の前面部側には、第１，第２のワークコイルＣ1，Ｃ2、側面ヒータＨ1、蓋ヒータ等を駆動制御する、ＩＧＢＴやチョークコイル、制御用ＩＣチツプ、側面ヒータ駆動回路、蓋ヒータ駆動回路、電源電圧整流用のダイオードブリッジよりなる整流回路、共振コンデンサ、平滑回路の平滑コンデンサ、ヒートシンク７３、その他の制御部品を備えた制御基板（コントロールボード）ＣＢが上下方向に立設して設けられている。この制御基板ＣＢは、上記内ケース４６の前面側に上下方向に延びて立設固定された制御基板カバー８２の前面側に取り付けられている。
【００４２】
また、上述のスピーカー取付部８１ａの制御基板ＣＢ側（ボイスコイル部側）には、スピーカーカバー９１が設けられ、スピーカー６１を制御基板ＣＢ側の冷却空気流通空間から遮蔽している。このスピーカーカバー９１は、マイコン基板カバー８１の下面からスピーカー取付部８１ａに沿って支持リブ７２まで垂下し、その下端においてスピーカー６１側に所定の幅直角に折り曲げられて上記下方側の支持リブ７２上に係合されている。また、同スピーカーカバー９１は、例えば図２に示すように、その左右両側端において左右一対の側壁部９１ａ，９１ａがスピーカー６１方向へ直角に折り曲げられ、スピーカー６１を両側端においても制御基板ＣＢ側冷却空気流通空間から遮蔽する構造となっている。
【００４３】
さらに、符号７３は、上記制御基板ＣＢ上のＩＧＢＴ等の発熱部品に接する状態で設けられ、それら発熱部品の熱を放熱する多数枚のフィン７３ａ，７３ａ・・・を備えたヒートシンクであり、このヒートシンク７３は、フィン７３ａ，７３ａ・・・のスピーカー６１側前端の略全面部分を含めて遮蔽板９２が所定の高さ上方に向けて立設され、上記スピーカーカバー９１と制御基板ＣＢとの間を平行に区画している。
【００４４】
そして、上記制御基板ＣＢ、ヒートシンク７３及び遮蔽板９２の下方側底部材１ｂ上には、同底部材１ｂに設けた空気吸込グリル７１部分に吸込側を対応させた形で、ファン（冷却ファン）１７が設置されている。
【００４５】
同ファン１７からの冷却風は、もちろん上記ヒートシンク７３側部分だけでなく、水平方向後方への扁平なダクトを介して上記内鍋３の底部側にも分流され、上述した第１，第２のワークコイルＣ1，Ｃ2等の発熱部分の冷却をも行う。
【００４６】
また上記外ケース１は、例えば所定の厚さの金属部材で形成された上下方向に筒状のカバー部材１ａと、該カバー部材１ａの上端部に結合された合成樹脂製の肩部材１１と、上記カバー部材１ａの下端部に一体化された上記合成樹脂製の底部材１ｂとからなり、かつ上記内ケース４６の底壁部４との間に所定の広さの断熱および通風空間部を形成した全体として有底の筒状体に構成されている。
【００４７】
さらに、上記内ケース４６の下部側皿状の底壁部４の中央部には、上述の如く上下方向に同心状に貫通したセンターセンサー嵌合口（センターセンサー収納空間部）が形成されており、該センターセンサー嵌合口中に上下方向に昇降自在な状態で、かつ常時コイルスプリングにより上方に上昇付勢された状態で内鍋底部の温度を検知する内鍋温度検知センサーＳを備えたセンターセンサーＣＳが設けられている。
【００４８】
一方、符号２は蓋ユニットであり、該蓋ユニット２は、その外周面を構成するとともに中央部に調圧パイプ１５を備えた合成樹脂製の外カバー１２と、該外カバー１２の内側に嵌合一体化して設けられた合成樹脂製の内枠１３と、該内枠１３の内側開口部内にパッキン１４ａおよび金属製の放熱板１６ａと、該放熱板１６ａの上面に設けられた蓋ヒータ（図示省略）と、上記放熱板１６ａの下方に設けられた金属製の内蓋１６ｂとを備えて構成されている。また、放熱板１６ａの外周縁部下方および内蓋１６ｂの外周縁部下方には、それぞれパッキン１４ａ，１４ｂが設けられており、内蓋１６ｂは、同パッキン１４ｂを介して内鍋３の開口縁部３ｃの上面部に接触させられている。また、符号１５ａは調圧パイプ１５内の調圧弁、さらに符号１５ｂはその下部側キャップである。
【００４９】
この蓋ユニット２は、上記外ケース１上部の後端側で肩部材１１に対してヒンジ機構８を介して回動自在に取付けられており、その開放端側には、該蓋ユニット２の所定位置に係合して該蓋ユニット２の上下方向への開閉を行うロック機構１０が設けられている。
【００５０】
したがって、該構成では、先ず炊飯時には、上記内鍋３は、上記第１，第２の２組のワークコイルＣ1，Ｃ2の駆動により生じる渦電流によって、その底壁部３ａから側壁部３ｂ側にかけて設けられている第１，第２の誘導発熱体が発熱して内鍋３の底壁部３ａから側壁部３ｂに亘る部分が加熱されるとともに、側面ヒータＨ1によって内鍋３の側壁部３ｂが加熱され、さらに蓋ヒータによって内鍋３の上部が加熱される。
【００５１】
以上のように、この発明の電気炊飯器では、スピーカー取付部８１ｂの制御基板ＣＢ側には、略その全体に亘ってスピーカーカバー９１が略密着して設けられているとともに、ヒートシンク７３には、そのフィン７３ａ，７３ａ・・・部分のスピーカー６１側前端の略全面（幅方向全面）に所定の高さの遮蔽板９２が設けられていることを特徴としている。
【００５２】
このような構成によれば、上記ヒートシンク７３等冷却用のファン１７が駆動されると、下方側空気吸込グリル７１から吸込まれた空気が、先ず遮蔽板９２により遮蔽されて、殆んどスピーカー６１側に向かわなくなりヒートシンク７３のフィン７３ａ，７３ａ・・・間を層流状態で効率良く流れ、ヒートシンク７３のフィン７３ａ，７３ａ・・・部分の熱を効率良く回収し、制御基板ＣＢ上の発熱部品を効率良く冷却する。他方、スピーカー６１側に流れるフィン７３ａ，７３ａ・・・からの冷却風は、スピーカー６１側にも流れるが、スピーカー６１にはスピーカーカバー９１が設けられていることからスピーカー６１側に流れた冷却風はスピーカーカバー９１に沿ってのみ上昇する。したがって、冷却風がスピーカー６１方向へ流れることが無く、また、スピーカーカバー９１は左右両側の側壁部９１ａ，９１ａが折曲されてスピーカー６１の両側端をも囲んだ状態となっているので、冷却風が横方向に回りこんでも、スピーカー６１部分にまで達することが無い。
【００５３】
一方、ヒートシンク７３内を上昇する冷却風は、上述のように、スピーカー６１側が遮蔽板９２で遮蔽されており、ヒートシンク７３のフィン７３ａ，７３ａ内の空間をスムーズに上昇していくので、そのまま制御基板ＣＢおよびマイコン基板ＭＢ方向に上昇し、スピーカー６１方向へ流れることが無い。
【００５４】
以上のように、ファン１７から上方へ吹き出された冷却風は、全くスピーカー６１に達すること無く上昇し、マイコン基板ＭＢ、制御基板ＣＢ等を効率良く冷却しながら内ケース４の周囲に流れていく。したがって、従来のようなスピーカー６１部分を冷却風が流れることによる音割れ、送風騒音の混入等がなくなり、また報知音の音の周波数が低いときの送風騒音による報知音のマスキング（消失）がなくなり、音質が向上し、報知音の音声内容が聞き取り易くなる。
【００５５】
また、従来だと不必要にスピーカー側に分流されていたファン１７からの冷却風が制御基板ＣＢ側に集められるようになるので、制御基板ＣＢ側発熱部品の冷却効率も向上する。
【００５６】
特に、この構成の場合には、上記のようにスピーカー６１の制御基板ＣＢ側にスピーカーカバー９１が設けられており、このスピーカーカバー９１が上記制御基板ＣＢとの間で上記制御基板ＣＢ側の発熱部分およびヒートシンク７３部分にスムーズに冷却風を流すストレートな送風路を形成することになるので、より発熱部の冷却効率が向上する。
【００５７】
また、冷却風に油煙等が含まれていても、スピーカー６１にまで達しないので、スピーカー６１が汚染されることが無く、長期化にわたって清浄な状態を維持することができる。その結果、汚染による音質の劣化を長期間防止することができる。
【００５８】
また、スピーカー６１と制御基板ＣＢとの間に、スピーカーカバー９１及び遮蔽板９２が介在しているので、制御基板ＣＢ上のＩＧＢＴなど発熱部品からの放射熱を遮断することができるとともに、ヒートシンク７３から回収した熱のスピーカー６１側への持込みをも回避することができる。したがって、スピーカー６１のボイスコイル等を熱による劣化から防止することができる。さらに、ファン１７からの騒音を遮断することができるので、送風騒音の混入がなくなり、また報知音の音の周波数が低いときの送風騒音による報知音のマスキング（消失）がなくなることもあって、より音質が向上し、報知音の音声内容が聞き取り易くなる。さらにまた、制御基板ＣＢ部分以外への風の流れの拡大（この風の流れの拡大は、冷却風の層流化を阻害し、被冷却部における単位時間当たりの流量が低下する）を防止し、冷却効率を向上させることが出来る。
【００５９】
さらに、スピーカー６１と外ケース１との間には、所定の寸法幅の空間からなる隙間９３が設けられているので、スピーカー６１の前面側報知方向に空気が振動するのに十分な空間を確保することが出来るとともに、さらに背後ではスピーカーカバー９１により音が前面側に反射されることとなる。したがって、スピーカーの報知音の音量を効果的に上げることが出来る。
【００６０】
さらに、スピーカー６１は外ケース１の内側において隙間９３を介して配置されているので、例えばスピーカー６１の上部に操作基板やメイバンがある場合、操作者に近い位置にスピーカー６１があることとなり、メイバンはシートであり、合成樹脂の成形品や金属板より薄く、音が透過しやすいので、スピーカー６１の音を聞き取り易くすることが出来る。
【００６１】
（変形例１）
上述したスピーカーカバー９１は、例えば底部材１ｂ側から上方に板状壁を立設することにより形成しても良い。
【００６２】
（変形例２）
上述したヒートシンク７３の遮蔽板９２は、ヒートシンク７３と一体のものでなく、底部材１ｂ側から板状のリブを立てることによって形成しても良い。
【符号の説明】
【００６３】
１は外ケース、１７はファン、６１はスピーカー、７２は支持リブ、７３はヒートシンク、９１はスピーカーカバー、９２は遮蔽板、９３は隙間、ＣＢは制御基板である。
【図１】
2013192904.tif 000003
【図２】
2013192904.tif 000004